(57)【特許請求の範囲】
【請求項１】
布の一方の面側に複数のくさび状の歯が設けられたオブジェクトを配置するとともに、前記布の他方に面側にノッチが設けられたキャップを配置することと、
前記オブジェクトと前記キャップは、前記オブジェクトと前記キャップの間に前記布を挟んだ状態で前記オブジェクトと前記キャップとを互いに噛み合わせてねじ込み方向にねじ込むことと、を含み、
前記オブジェクトに設けられた複数のくさび状の歯は、前記ねじ込み方向に沿って隣り合う２つのくさび状の歯間の溝の深さが徐々に小さくなるように形成されており、前記複数のくさび状の歯が設けられた前記オブジェクトと前記ノッチが設けられたキャップとの一方を、間に前記布を挟んだ状態で前記オブジェクトと前記キャップの他方にねじ込み、
前記くさび状の歯と前記ノッチとを互いに噛み合わせることを特徴とする
オブジェクトの着脱方法。
【請求項２】
さらに、前記オブジェクトと前記キャップとを互いに噛み合わせてねじ込んだ後に、前記キャップを押圧して変形させて、前記くさび状の歯と前記ノッチとの噛み合わせ状態を解除することと、
前記くさび状の歯と前記ノッチとの噛み合わせ状態を解除した後は、前記オブジェクト及び前記キャップの一方を他方に対して、ねじ込み時の方向とは反対の方向に回して、前記オブジェクトを前記布から取り外すこと、とを含む
請求項１に記載のオブジェクトの着脱方法。
【請求項３】
布の一方の面側に複数のくさび状の歯が設けられたオブジェクトと、
前記布の他方に面側にノッチが設けられたキャップと、を備え、
前記オブジェクトと前記キャップは、前記オブジェクトと前記キャップの間に前記布を挟んだ状態で前記オブジェクトと前記キャップとを互いに噛み合わせてねじ込み方向にねじ込むようになっており、
前記オブジェクトに設けられた複数のくさび状の歯は、前記ねじ込み方向に沿って隣り合う２つのくさび状の歯間の溝の深さが徐々に小さくなるように形成されており、
前記くさび状の歯が設けられた前記オブジェクト、及び前記ノッチが設けられた前記キャップの一方を、前記オブジェクトと前記キャップとの間に前記布を挟んだ状態で、前記オブジェクトと前記キャップの他方にねじ込み、前記くさび状の歯と前記ノッチとを互いに噛み合わせることを特徴とするオブジェクト着脱装置。
【請求項４】
前記オブジェクトの内部には、衣類に取付可能なセンサーユニットが内蔵されている、
請求項３に記載のオブジェクト着脱装置。
【請求項５】
前記センサーユニットは、前記衣類を着用した人の居場所及び／又は動き及び／又は体の傾き角を検出する、請求項４に記載のオブジェクト着脱装置。
【請求項６】
前記センサーユニットは、前記衣類を着用した人の居場所及び／又は動き及び／又は体の傾き角を検出して検出信号を出力するセンサー、前記センサーの検出信号の値と予め設定された閾値とを比較するマイクロコントローラー、及び警報として無線で知らせる無線通信部を含む、
請求項４又は５に記載のオブジェクト着脱装置。
【発明の詳細な説明】
【技術分野】
【０００１】
本発明は、布に対するオブジェクトの着脱方法及びオブジェクト着脱装置に関する。
【背景技術】
【０００２】
近年、高齢化社会が進む中で、センサーを例えば高齢者が着用する衣類や靴下、ベルトなどに取り付けることによって高齢者の動きをモニターし、高齢者の徘徊や転倒などを検知した場合に、その情報を介護者に直ちに知らせる技術が開発されている。また、高齢者の動きをモニターする場合に限らず、スポーツやフィットネスを行っている人の体の動きをモニターする場合や、幼児が一人で歩行（はいはい）している状況を検知する場合などの用途においても、衣類などに取り付け可能なセンサーであるウェアラブルセンサーの利用が期待されている。
【０００３】
センサーなどのデバイスを衣類に取り付ける方法として、面ファスナー、磁石、安全ピン、あるいはクリップを用いることが挙げられる。また、デバイスを衣類に縫い付けることも考えられる。特許文献１には、衣類の裏側に磁石のプレートを置き、スチール製の名札を衣類の表側から重ねることによって、磁石の吸着力を利用して名札を衣類に固定する手法が記載されている。特許文献２には、特許文献１に記載の手法と同様に、磁石の吸着力を利用した手法で、ネクタイをシャツの表側に固定することが記載されている。
【０００４】
また、面ファスナー、磁石、クリップ又はピンなどを使用することなく、センサーを衣類に取り付ける手法としては、従来、ＭｏｎＢａｂｙ社によって考案されたＭｏｎＳｎａｐ（登録商標）という手法が知られている。ＭｏｎＳｎａｐという手法では、衣類の表側に置いたセンサー本体と衣類の裏側に置いたキャップとを用いて衣類の布を挟み、キャップの弾性を利用してセンサー本体をキャップに嵌め込むことにより、センサー本体を衣類に取り付ける。
【先行技術文献】
【特許文献】
【０００５】
【特許文献１】米国特許第５３６９８９９号明細書
【特許文献２】特開２００６−１２２６１３号公報
【０００６】
【非特許文献１】URL:https://monbaby.com
【発明の概要】
【発明が解決しようとする課題】
【０００７】
上述のように、従来、センサーなどを含むデバイス、名札、ネクタイ等のオブジェクトを衣類に取り付ける手法が種々提案されている。しかしながら、例えば、面ファスナー、磁石、又はクリップなどを用いてオブジェクトを衣類に取り付ける手法では、認知症患者や幼児などによって容易にオブジェクトを衣類から取り外すことができるので、認知症患者や幼児などが誤ってオブジェクトを口に入れしまう事象が発生する恐れがある。また、磁石の使用は、ペースメーカーの使用者には避けるべきである。安全ピンについては、安全面の観点から介護施設や病院では、その使用が禁じられている。また、センサーなどのデバイスは一般的に洗濯により破損する可能性が高いので、センサーなどのデバイスを衣類に縫い付ける手法は実用的ではない。
【０００８】
また、上記非特許文献１に記載の手法では、布の厚さに応じてセンサー本体とキャップの間の隙間を調節する必要があるだけでなく、衣類の布が引っ張られるとセンサー本体が衣類から容易に外れてしまう可能性が高いという問題があり、安全な手法（オブジェクトが取れ難い手法）とは言えない。
【０００９】
そこで、従来、上記各種問題を解決するため、オブジェクトを衣類に簡単に取り付けることができ、患者等に気づかれ難く、かつ、外れ難いオブジェクトの取り付け手法が望まれている。すなわち、オブジェクトを布に簡単に取り付け可能であり、かつ、より安全性の高いオブジェクトの布への装着方法が求められている。
【００１０】
本発明の目的は、布に対するオブジェクトの着脱方法及びオブジェクト着脱装置において、磁石又はピンなどを用いることなく、オブジェクトを布に簡易に取り付けることができ、かつ、安全性を高めることができる方法及び装置を提供することにある。
【課題を解決するための手段】
【００１１】
上記課題を解決するために、本発明のオブジェクトの着脱方法では、布の一方の面側に複数のくさび状の歯が設けられたオブジェクトを配置するとともに、布の他方に面側にノッチが設けられたキャップを配置することと、オブジェクトとキャップは、オブジェクトとキャップの間に布を挟んだ状態でオブジェクトとキャップとを互いに噛み合わせてねじ込むことと、オブジェクトとキャップとを互いに噛み合わせてねじ込んだ後に、キャップを押圧して変形させて、くさび状の歯とノッチとの噛み合わせ状態を解除することと、を含む。
オブジェクトに設けられた複数のくさび状の歯は、ねじ込み方向に沿って隣り合う２つのくさび状の歯間の溝の深さが徐々に小さくなるように形成されており、複数のくさび状の歯が設けられたオブジェクトとノッチが設けられたキャップとの一方を、間に布を挟んだ状態でオブジェクトとキャップの他方にねじ込み、くさび状の歯とノッチとを互いに噛み合わせる。
【発明の効果】
【００１２】
本発明のオブジェクトの着脱方法及びオブジェクト着脱装置によれば、布を間に挟んだ状態でオブジェクトとキャップとが噛み合い、これによりオブジェクトが布に取り付けられる。それゆえ、本発明によれば、磁石又はピンなどを使用することなく、オブジェクトを布に簡易に取り付けることができ、かつ、安全性を高めることができる。
【図面の簡単な説明】
【００１３】
【図１】本発明の一実施形態に係るオブジェクトの着脱手法において、オブジェクトを布に取り付ける前のオブジェクト、布及びキャップの配置例を示す斜視図である。
【図２】本発明の一実施形態に係るオブジェクトの着脱手法において、オブジェクトが布に取り付けられた後のオブジェクト及び布の上面図である。
【図３】本発明の一実施形態に係るオブジェクトの着脱手法において、オブジェクトが布に取り付けられた後の、オブジェクト、布及びキャップの縦断面図である。
【図４】変形例１のオブジェクトの着脱手法において、オブジェクトが布に取り付けられる前のオブジェクト、布及びキャップの配置例を示す斜視図である。
【図５】変形例１のオブジェクトの着脱手法において、オブジェクトが布に取り付けられた際のオブジェクト及び布の上面図である。
【図６】変形例１のオブジェクトの着脱手法において、オブジェクトが布に取り付けられた際のオブジェクト、布及びキャップの側面図である。
【図７】変形例１のオブジェクトの着脱手法において、オブジェクトが厚手の布に取り付けられた際のオブジェクト、布及びキャップの横断面図である。
【図８】変形例１のオブジェクトの着脱手法において、オブジェクトが厚手の布に取り付けられた際のオブジェクト、布及びキャップの縦断面図である。
【図９】変形例１のオブジェクトの着脱手法において、オブジェクトが薄手の布に取り付けられた際のオブジェクト、布及びキャップの横断面図である。
【図１０】変形例１のオブジェクトの着脱手法において、オブジェクトが薄手の布に取り付けられた際のオブジェクト、布及びキャップの縦断面図である。
【図１１】変形例１のオブジェクトの着脱手法において、オブジェクトを布から取り外す際にオブジェクトの歯及びキャップのノッチ間のロック状態を解除する手法を説明するための図である。
【図１２】変形例２のオブジェクトの着脱手法において、オブジェクト（名札）が布に取り付けられる前のオブジェクト、布及びキャップの配置例を示す斜視図である。
【発明を実施するための形態】
【００１４】
以下に、本発明の一実施形態に係るオブジェクトの着脱手法の内容について、図面を参照しながら具体的に説明する。
【００１５】
図１は、本実施形態のオブジェクトの着脱手法によってオブジェクトを布に取り付ける前の、オブジェクト１、布３及びキャップ２の配置例を示す斜視図である。図２は、オブジェクト１が布３に取り付けられた後のオブジェクト１及び布３の上面図であり、図３は、オブジェクト１が布３に取り付けられた後のオブジェクト１、布３及びキャップ２の縦断面図（図２中の一点鎖線に沿ったオブジェクト６の厚さ方向の断面図）である。すなわち、図２及び３は、オブジェクト１が布３に取り付けられた際の状態を示す図である。
【００１６】
本実施形態のオブジェクトの着脱手法では、図１に示すように、円盤形状のオブジェクト１及びリング形状のキャップ２が使用される。オブジェクト１の側面には、ねじ山４（第１のねじ山）が設けられ、キャップ２の内側の側面には、ねじ山４と噛み合うねじ山５（第２のねじ山）が設けられている。オブジェクト１を布３に取り付ける際には、まず、オブジェクト１及びキャップ２を、布３を間に挟んで配置する。この際、オブジェクト１の中心軸とキャップ２の中心軸とが互いに重なるように配置する（図１中の一点鎖線参照）。次いで、間に布３を挟んだ状態で、ナットをボルトに嵌める際の手法と同様にして、キャップ２をオブジェクト１にねじ込む（図１中の矢印Ａ参照）。
【００１７】
この結果、図２及び図３に示すように、オブジェクト１のねじ山４及びキャップ２のねじ山５が、布３を間に挟んだ状態で互いに噛み合い、オブジェクト１が布３に固定される。また、オブジェクト１にねじ込んだ方向とは反対の方向にキャップ２を回すことによって、オブジェクト１を布３から取り外すことができる。
【００１８】
上述した本実施形態のオブジェクトの着脱手法によれば、面ファスナー、磁石、クリップ又はピンなどを使用することなく、また、衣類に対して特別な加工を施すことなく、オブジェクト１を衣類の布３に簡易に取り付けることができる。
【００１９】
また、本実施形態のオブジェクトの着脱手法によれば、オブジェクト１及びキャップ２が布３を間に挟んでしっかりと噛み合うため、認知症患者や幼児などが、オブジェクト１を布３から取り外すことが難しくなる。それゆえ、本実施形態のオブジェクトの着脱手法は、オブジェクト１の誤飲が懸念される、例えば認知症患者や幼児などに対しても安心して使用することができる手法である。この際、認知症患者や幼児などが気づき難いところにオブジェクト１を取り付けると、安全性をさらに高めることができる。
【００２０】
また、本実施形態のオブジェクトの着脱手法では、磁石やピンなどを使用しないので、本実施形態のオブジェクトの着脱手法は、あらゆる人が幅広く利用することができる。特に、本実施形態のオブジェクトの着脱手法は、例えば、磁石を使用することができないペースメーカーの使用者や、ピンの使用が禁止されている介護施設、病院等に滞在中の患者などの衣類にオブジェクト１を取り付ける際の手法として好適である。
【００２１】
また、本実施形態のオブジェクトの着脱手法によれば、オブジェクト１及びキャップ２を噛み合わせることが可能な厚さ及び／又は素材を有する布３であれば、どのような布３に対しても、取り付け（噛み合わせ）機構を変えたり調整したりすることなく、すなわち、同一形状の取り付け機構で、オブジェクト１を簡易に取り付けることができる。例えば、パジャマ、下着、おむつ、運動服、帽子又は靴下などにも、オブジェクト１を容易に取り付けることができる。さらに、本実施形態のオブジェクトの着脱手法によれば、同一形状の取り付け機構で、衣類のどの部分にも簡易でかつ確実にオブジェクト１を取り付けることができる。
【００２２】
また、本実施形態のオブジェクトの着脱手法によれば、オブジェクト１が布３に嵌め込まれるため、オブジェクト１を布３の表面とほぼ同一の高さに配置することができる。それゆえ、オブジェクト１を外から目立たなくすることができる。
【００２３】
さらに、本実施形態のオブジェクトの着脱手法によれば、オブジェクト１を布３から容易に取り外すことができるので、衣類を洗濯する際の利便性が向上するとともに、洗濯によるオブジェクト１の破損などを心配する必要がなくなる。それゆえ、本実施形態のオブジェクトの着脱手法は、洗濯により破損する可能性の高い例えばセンサーなどのデバイスを布３に取り付ける手法としても好適である。
【００２４】
＜各種変形例＞
本発明に係るオブジェクトの着脱方法は、上記実施形態で説明した例に限定されない。特許請求の範囲に記載した本発明の要旨を逸脱しない限り、その他種々の変形例も本発明に含まれる。例えば、次のような各種変形例も本発明に含まれる。
【００２５】
［変形例１］
上記実施形態では、オブジェクト１及びキャップ２間の取り付け機構として、オブジェクト１側にねじ山４を、キャップ２側にねじ山４と噛み合うねじ山５を設け、布３を間に挟んだ状態でキャップ２をオブジェクト１にねじ込む機構を説明したが、本発明はこれに限定されない。例えば、オブジェクトのねじ山の上面部に複数のくさび状の歯を設け、くさび状の歯と噛み合うノッチをキャップ側に設け、くさび状の歯とノッチとを噛み合わせてオブジェクトをロックさせることによって、オブジェクトを布に取り付けるようにしてもよい。
【００２６】
以下、変形例１について、図４〜図６を参照して説明する。図４は、変形例１の手法によってオブジェクト６を布３に取り付ける前の、オブジェクト６、布３及びキャップ７の配置例を示す斜視図である。図５は、オブジェクト６が布３に取り付けられた後のオブジェクト６及び布３の上面図であり、図６は、オブジェクト６が布３に取り付けられた後のオブジェクト６、布３及びキャップ７の側面図である。
【００２７】
図４に示すように、変形例１においては、オブジェクト６の側面に複数のくさび状の歯８が設けられ、キャップ７の内側の側面に、ノッチ１０が設けられる。なお、複数のくさび状の歯８は、キャップ７のねじ込み方向（図４中の矢印Ａの方向）の前方から後方に向かって、隣り合う２つの歯８間の溝の深さ（歯８の高さ）が徐々に小さく（浅く）なるように、オブジェクト６の側面に設けられている。そして、布３を間に挟んだ状態でオブジェクト６にキャップ７をねじ込むことにより、オブジェクト６に設けられた複数のくさび状の歯８のうちの一つがノッチ１０と噛み合って、オブジェクト６がロックされる。この結果、布３を間に挟んだ状態でオブジェクト６及びキャップ７が噛み合うため、図５及び図６に示すように、オブジェクト６が布３に固定される。また、上述した実施形態と同様に、オブジェクト６にねじ込んだ方向とは反対の方向にキャップ７を回すことによって、オブジェクト６を布３から取り外すことができる。
【００２８】
この例のオブジェクトの着脱手法によれば、オブジェクト６に設けられた複数のくさび状の歯８のうちの一つが、キャップ７のノッチ１０と噛み合って、オブジェクト６がロックされるため、オブジェクト６の布３への固定がより確実なものとなる。それゆえ、キャップ７が緩んでオブジェクト６が布３から外れてしまうことも防止することができる。
【００２９】
ここで、図７〜図１１を参照して、変形例１のオブジェクト６の布３への取り付ける手法により、オブジェクト６が布３に取り付けられた際のオブジェクト６、布３及びキャップ７の取り付け態様例を説明する。
【００３０】
図７は、オブジェクト６を厚手の布３ａに取り付けた際のオブジェクト６、布３ａ及びキャップ７の横断面図（図６中の一点鎖線に沿った横断面図）である。図８は、オブジェクト６を厚手の布３ａに取り付けた際のオブジェクト６、布３ａ及びキャップ７の縦断面図（図５中の一点鎖線に沿った縦断面図）である。図９は、オブジェクト６を薄手の布３ｂに取り付けた際のオブジェクト６、布３ｂ及びキャップ７の横断面図（図６中の一点鎖線に沿った横断面図）である。図１０は、オブジェクト６を薄手の布３ｂに取り付けた際のオブジェクト６、布３ｂ及びキャップ７の縦断面図（図５中の一点鎖線に沿った縦断面図）である。
【００３１】
オブジェクト６を厚手の布３ａに取り付けた場合、キャップ７のオブジェクト６に対するねじ込み深さは浅くなり、図７に示すように、溝の部分とノッチ１０との隙間が最も大きくなる歯８ａ、すなわち、ねじ込み方向において最も前方（手前）に位置する歯８ａがキャップ７のノッチ１０と噛み合って、オブジェクト６がロックされる。一方、オブジェクト６を薄手の布３ｂに取り付けた場合、キャップ７のオブジェクト６に対するねじ込み深さは深くなり、図９に示すように、溝の部分とノッチ１０との隙間が小さくなる歯８ｂ、すなわち、ねじ込み方向において最も後方（奥）に位置する歯８ｂがキャップ７のノッチ１０と噛み合って、オブジェクト６がロックされる。また、布３の厚さが、布３ａ及び布３ｂ間の厚さである場合には、その厚さに応じて、複数のくさび状の歯８のうち、歯８ａと歯８ｂとの間に位置する所定の歯８がキャップ７のノッチ１０と噛み合って、オブジェクト６がロックされる。
【００３２】
図１１は、変形例１の手法で布３に取り付けられたオブジェクト６を、布３から取り外す手法を説明するための図であり、オブジェクト６、布３及びキャップ７を横断面図で示したものである。変形例１の手法で布３に取り付けられたオブジェクト６を、布３から取り外す場合には、まず、例えば二本以上の指を使ってキャップ７の側面を挟み込み、その状態で挟み込んだ指でキャップ７の側面に押圧力１２を加える。このような操作を行うことにより、キャップ７の形状が変形し、オブジェクト６の歯８（図１１の例では歯８ａ）とキャップ７のノッチ１０との間のロック状態が解除される。続いて、ねじ込み時とは反対の方向にキャップ７を回すと、オブジェクト６を布３から取り外すことができる。
【００３３】
上述のように、この例のオブジェクトの着脱手法によれば、間に挟む布３の厚みによって、キャップ７のノッチ１０と噛み合うオブジェクト６の歯８の位置が変化する。それゆえ、あらゆる厚さの布３に対して適切なロック機構を作用させることができる。この例では、布３の厚さが変化しても、オブジェクトの取り付け機構を変えたり調整したりすることなく、同一形状の取り付け機構で容易にかつ確実に、オブジェクトを布に取り付けることが可能となる。すなわち、隣り合う２つのくさび状の歯８間の溝深さがキャップ７のねじ込み方向において徐々に変化する（浅くなる）ようにオブジェクトの側面に複数のくさび状の歯８を設けることにより、あらゆる布の厚さに対応することができる。
【００３４】
なお、この例では、キャップ７に設けられた一つのノッチ１０に対して複数のくさび状の歯８をオブジェクト６に設けた例を説明したが、本発明はこれに限定されない。例えば、キャップ７に設けられた一つのノッチ１０に対して一つのくさび状の歯８をオブジェクト６に設けた構成にしてもよい。また、この例では、隣り合う２つのくさび状の歯８間の溝深さがキャップ７のねじ込み方向において徐々に変化する（浅くなる）ようにオブジェクト６の側面に複数のくさび状の歯８を設ける例を説明したが、本発明はこれに限定されない。例えば、隣り合う２つのくさび状の歯８間の溝深さをキャップ７のねじ込み方向において一定にしてもよい。
【００３５】
［変形例２］
本発明で取り付け対象となるオブジェクトは、上記実施形態及び変形例１で説明したオブジェクトの例に限定されず、本発明のオブジェクトの着脱方法は、様々な他のオブジェクトにも適用可能である。例えば、センサーなどのデバイス、名札、アクセサリーなどのオブジェクトに対しても本発明は適用可能である。
【００３６】
なお、オブジェクトとして、センサーなどのデバイスを用いる際には、内部に傾き角を検出するセンサーユニット（回路）が内蔵されたオブジェクトを用いることができる。この場合、センサーユニットは、例えば、傾き角を検出して検出信号を出力するセンサー、センサーの検出信号の値と予め設定された閾値とを比較するマイクロコントローラー、センサーの検出信号の値が閾値を超えた場合にそのことを警報として無線で知らせる無線通信部、及び、電池を含んで構成される。
【００３７】
このような構成のセンサーユニットを内蔵したオブジェクトを、上記実施形態や各種変形例で説明した手法で衣類に取り付けることにより、衣類を着用した人の体の傾き角を取得することができる。そして、衣類を着用した人が、例えばベッドから起き上がったり椅子から立ち上がったりした場合に、そのことを検知し、警報として介護者などの外部の人に通知することができる。なお、無線通信部が無線で通知する内容に、衣類を着用した人の居場所や動き、あるいはセンサーの傾き角の値を含めてもよく、又は、警報は送信せずに衣類を着用した人の居場所や動き、あるいは傾き角の値のみを通知するようにしてもよい。
【００３８】
なお、センサーは傾き角を検出するセンサーに限定されるものではない。例えば、人の動きをモニターするセンサーや、人の位置（居場所）を検知するセンサーなどを、センサーとして適用してもよい。
【００３９】
また、オブジェクトとして名札を用い、名札を衣類に取り付ける手法の概要を、図１２を参照して説明する。なお、図１２は、オブジェクト（名札）を衣類に取り付ける際の、オブジェクト１４、布１７及びキャップ１５の配置例を示す斜視図である。
【００４０】
図１２に示す例では、オブジェクト１４（名札）は、名札部１４ａとその裏側の面に設けられたねじ部１４ｂとで構成され、両者が一体的に接続されている。また、ねじ部１４ｂと噛み合わせるリング状のキャップ１５の内側の側面には、ねじ１４ｂのねじ山と噛み合うねじ山１６が設けられる。
【００４１】
オブジェクト１４（名札）を布１７に取り付ける際には、まず、オブジェクト１４のねじ部１４ｂを布１７の表側に配置し、キャップ１５を布１７の裏側に配置する。この際、ねじ部１４ｂの中心軸とキャップ２の中心軸とが互いに重なるように配置する（図１２中の一点鎖線参照）。次いで、間に布１７を挟んだ状態で、ナットをボルトに嵌める際の手法と同様にして、キャップ１５をオブジェクト１４のねじ部１４ｂにねじ込む。
【００４２】
この例のオブジェクトの着脱手法によれば、例えば、センサーなどのデバイス、名札、アクセサリーなどの様々なオブジェクトを、衣類に容易に取り付けることが可能となる。
【００４３】
なお、上記実施形態、変形例１及び変形例２においては、キャップをオブジェクトにねじ込むことによって、オブジェクトを布に取り付ける例を説明したが、本発明はこれに限定されない。オブジェクトをキャップにねじ込むことによって、オブジェクトを布に取り付けるようにしてもよい。
【００４４】
本発明のオブジェクトの着脱方法は、一般的な技術を持つ者によって、多様な実施態様への展開が考えられる。以上の説明はあくまでも、実施態様の例として取り上げたものであり、特許請求の範囲を限定するものではない。従って、特許請求の範囲は、本明細書で説明した態様だけでなく、概念的に同じく明らかに置き換えられるものや本発明の着想に基づいたものをすべて含むものである。
【符号の説明】
【００４５】
１…オブジェクト、２…キャップ、３，３ａ，３ｂ…布、４…ねじ山、５…ねじ山、６…オブジェクト、７…キャップ、８，８ａ，８ｂ…くさび状の歯、１０…ノッチ、１２…押圧力、１４…オブジェクト（名札）、１４ａ…名札部、１４ｂ…ねじ部、１５…キャップ、１６…ねじ山、１７…布
【図１】
0006574638.tif 000002
【図２】
0006574638.tif 000003
【図３】
0006574638.tif 000004
【図４】
0006574638.tif 000005
【図５】
0006574638.tif 000006
【図６】
0006574638.tif 000007
【図７】
0006574638.tif 000008
【図８】
0006574638.tif 000009
【図９】
0006574638.tif 000010
【図１０】
0006574638.tif 000011
【図１１】
0006574638.tif 000012
【図１２】
0006574638.tif 000013